(57)【要約】【課題】記録媒体の再生位置や録画残量などを表示するための分割点灯が可能な照明を複数個備え、この照明の点灯内容によって再生位置や録画残量などをユーザが視覚的に容易に確認することが可能な録画再生装置を提供することにある。【解決手段】コンテンツ記録再生部と、複数の発光単位を線状に配置した表示部と、発光単位毎に発光信号にて発光させることが可能な発光信号出力部と、コンテンツ記録再生部の記録・再生に関する情報である記録再生情報を取得する記録再生情報取得部と、取得した記録再生情報に応じて発光単位の全体と部分との比を識別可能に発光信号出力部を制御する第一制御部とを有する録画再生装置を提供する。また、第一制御部に代えて、発光単位の全てに等しい時間を割り当てて発光を制御することで記録再生情報のうちの時間情報を表現するように発光信号出力部を制御する第二制御部とを有する録画再生装置を提供する。【選択図】図１
2009080881.tif 000002
【特許請求の範囲】
【請求項１】
コンテンツ記録再生部と、
複数の発光単位を線状に配置した表示部と、
発光単位毎に発光信号にて発光させることが可能な発光信号出力部と、
コンテンツ記録再生部の記録・再生に関する情報である記録再生情報を取得する記録再生情報取得部と、
取得した記録再生情報に応じて発光単位の全体と部分との比を識別可能に発光信号出力部を制御する第一制御部と、
を有する録画再生装置。
【請求項２】
記録再生情報取得部は、コンテンツ記録再生部の記録可能残容量を示す情報である残容量情報を取得する第一残容量情報取得手段を有し、
第一制御部は、取得した残容量情報に基づいて前記識別可能とする比としてコンテンツ記録再生部の全体容量と記録可能残容量との比を示すための制御をする第一残容量表示制御手段を有する請求項１に記載の録画再生装置。
【請求項３】
記録再生情報取得部は、コンテンツ記録再生部のコンテンツ全体中再生位置を示す情報である再生位置情報を取得する第一再生位置情報取得手段を有し、
第一制御部は、取得した再生位置情報に基づいて前記識別可能とする比としてコンテンツの全体再生時間と現在までの再生時間との比を示すための制御をする第一再生位置表示制御手段を有する請求項１又は２に記載の録画再生装置。
【請求項４】
コンテンツ記録再生部と、
複数の発光単位を線状に配置した表示部と、
発光単位毎に発光信号にて発光させることが可能な発光信号出力部と、
コンテンツ記録再生部の記録・再生に関する情報である記録再生情報を取得する記録再生情報取得部と、
発光単位の全てに等しい時間を割り当てて発光を制御することで記録再生情報のうちの時間情報を表現するように発光信号出力部を制御する第二制御部と、
を有する録画再生装置。
【請求項５】
記録再生情報取得部は、コンテンツ記録再生部の記録可能残容量を示す情報である残容量情報を取得する第二残容量情報取得手段を有し、
第二制御部は、取得した残容量情報に基づいて発光させる発光単位が記録可能残容量を示すように制御をする第二残容量表示制御手段を有する請求項４に記載の録画再生装置。
【請求項６】
記録再生情報取得部は、コンテンツ記録再生部のコンテンツ全体中再生位置を示す情報である再生位置情報を取得する第二再生位置情報取得手段を有し、
第二制御部は、取得した再生位置情報に基づいて発光させる発光単位が再生位置を示すように制御をする第二再生位置表示制御手段を有する請求項４又は５に記載の録画再生装置。
【請求項７】
表示部に配置されている発光単位の数は６０の約数のうち１を除くいずれかに等しい数である請求項１から６のいずれか一に記載の録画再生装置。
【請求項８】
記録再生部は、目視にて記録済み媒体部分を判別できないメディアである不可視メディア手段を利用するものである請求項１から７のいずれか一に記載の録画再生装置。
【請求項９】
コンテンツ記録再生ステップと、
コンテンツの記録・再生に関する情報である記録再生情報を取得する記録再生情報取得ステップと、
取得した記録再生情報に応じて、複数を線状に配置した発光単位の全体と部分との比を識別可能に発光単位毎に発光信号にて発光させるように制御する第一制御ステップと、
前記第一制御ステップにての制御に従い発光単位を発光させる発光信号出力ステップと、
を有する録画再生方法。
【請求項１０】
コンテンツ記録再生ステップと、
コンテンツの記録・再生に関する情報である記録再生情報を取得する記録再生情報取得ステップと、
取得した記録再生情報に応じて、複数を線状に配置した発光単位の全てに等しい時間を割り当てて発光を制御することで記録再生情報のうちの時間情報を表現するように制御する第二制御ステップと、
前記第二制御ステップにての制御に従い発光単位を発光させる発光信号出力ステップと、
を有する録画再生方法。
【発明の詳細な説明】
【技術分野】
【０００１】
本発明は、録画再生装置に関し、特に、再生位置、録画残量などの記録媒体の状況を表示するために発光単位の発光を制御する手段を有する録画再生装置に関する。
【背景技術】
【０００２】
ビデオテープを記録媒体とする従来の録画再生装置（ビデオテープレコーダー）においては、記録媒体であるビデオテープのカセットに設けられたのぞき窓からテープの巻き取り量を直接視認することが可能であったため、ユーザは、簡単にテープの再生位置や録画残量などを確認することができた。例えば、特許文献１においても、従来技術としてこのようなことが記載されている（特許文献１参照）。
【特許文献１】特開昭６０‐８９８８４号公報
【発明の開示】
【発明が解決しようとする課題】
【０００３】
しかし、近年普及しつつあるいわゆるディスクメディア（ＣＤ‐Ｒ、ＤＶＤ‐ＲＡＭ、ＨＤＤ、Ｂｌｕ‐ｒａｙ  Ｄｉｓｃなど）を使用したレコーダーでは、メディアの読み取り乃至書き込み方式の変化により、記録媒体の再生位置や録画残量を外部から直接視認することにより確認することは困難になった。このため、ユーザにとって、あたかもビデオテープのカセットに設けられたのぞき窓の代わりをなすような、記録媒体の再生位置や録画残量を視覚的に容易に確認する方法が求められるところであるが、これまでかかる方法は存在していなかった。
【０００４】
そこで、本発明の解決すべき課題は、記録媒体の再生位置や録画残量などを表示するための分割点灯が可能な照明を複数個備え、この照明の点灯内容によって再生位置や録画残量などをユーザが視覚的に容易に確認することが可能な録画再生装置を提供することにある。
【課題を解決するための手段】
【０００５】
以上の課題を解決するため、本発明のうち、第一の発明は、コンテンツ記録再生部と、複数の発光単位を線状に配置した表示部と、発光単位毎に発光信号にて発光させることが可能な発光信号出力部と、コンテンツ記録再生部の記録・再生に関する情報である記録再生情報を取得する記録再生情報取得部と、取得した記録再生情報に応じて発光単位の全体と部分との比を識別可能に発光信号出力部を制御する第一制御部とを有する録画再生装置を提供する。
また、第二の発明は、第一の発明を基礎とし、記録再生情報取得部は、コンテンツ記録再生部の記録可能残容量を示す情報である残容量情報を取得する第一残容量情報取得手段を有し、第一制御部は、取得した残容量情報に基づいて前記識別可能とする比としてコンテンツ記録再生部の全体容量と記録可能残容量との比を示すための制御をする第一残容量表示制御手段を有する録画再生装置を提供する。
また、第三の発明は、第一又は第二の発明を基礎とし、記録再生情報取得部は、コンテンツ記録再生部のコンテンツ全体中再生位置を示す情報である再生位置情報を取得する第一再生位置情報取得手段を有し、第一制御部は、取得した再生位置情報に基づいて前記識別可能とする比としてコンテンツの全体再生時間と現在までの再生時間との比を示すための制御をする第一再生位置表示制御手段を有する録画再生装置を提供する。
また、第四の発明は、コンテンツ記録再生部と、複数の発光単位を線状に配置した表示部と、発光単位毎に発光信号にて発光させることが可能な発光信号出力部と、コンテンツ記録再生部の記録・再生に関する情報である記録再生情報を取得する記録再生情報取得部と、発光単位の全てに等しい時間を割り当てて発光を制御することで記録再生情報のうちの時間情報を表現するように発光信号出力部を制御する第二制御部とを有する録画再生装置を提供する。
また、第五の発明は、第四の発明を基礎とし、記録再生情報取得部は、コンテンツ記録再生部の記録可能残容量を示す情報である残容量情報を取得する第二残容量情報取得手段を有し、第二制御部は、取得した残容量情報に基づいて発光させる発光単位が記録可能残容量を示すように制御をする第二残容量表示制御手段を有する録画再生装置を提供する。
また、第六の発明は、第四又は第五の発明を基礎とし、記録再生情報取得部は、コンテンツ記録再生部のコンテンツ全体中再生位置を示す情報である再生位置情報を取得する第二再生位置情報取得手段を有し、第二制御部は、取得した再生位置情報に基づいて発光させる発光単位が再生位置を示すように制御をする第二再生位置表示制御手段を有する録画再生装置を提供する。
また、第七の発明は、第一から第六のいずれか一の発明を基礎とし、表示部に配置されている発光単位の数は６０の約数のうち１を除くいずれかに等しい数である録画再生装置を提供する。
また、第八の発明は、第一から第七のいずれか一の発明を基礎とし、記録再生部は、目視にて記録済み媒体部分を判別できないメディアである不可視メディア手段を利用するものである録画再生装置を提供する。
また、第九の発明は、コンテンツ記録再生ステップと、コンテンツの記録・再生に関する情報である記録再生情報を取得する記録再生情報取得ステップと、取得した記録再生情報に応じて、複数を線状に配置した発光単位の全体と部分との比を識別可能に発光単位毎に発光信号にて発光させるように制御する第一制御ステップと、前記第一制御ステップにての制御に従い発光単位を発光させる発光信号出力ステップとを有する録画再生方法を提供する。
また、第十の発明は、コンテンツ記録再生ステップと、コンテンツの記録・再生に関する情報である記録再生情報を取得する記録再生情報取得ステップと、取得した記録再生情報に応じて、複数を線状に配置した発光単位の全てに等しい時間を割り当てて発光を制御することで記録再生情報のうちの時間情報を表現するように制御する第二制御ステップと、前記第二制御ステップにての制御に従い発光単位を発光させる発光信号出力ステップとを有する録画再生方法を提供する。
【発明の効果】
【０００６】
本発明により、記録媒体の再生位置や録画残量などを表示するための分割点灯が可能な照明を複数個備え、この照明の点灯内容によって再生位置や録画残量などをユーザが視覚的に容易に確認することが可能な録画再生装置を提供することが可能となる。
【発明を実施するための最良の形態】
【０００７】
以下に、本発明の実施例を説明する。実施例と請求項の相互の関係は以下のとおりである。実施例１は主に請求項１、請求項７、請求項８、請求項９などに関し、実施例２は主に請求項２などに関し、実施例３は主に請求項３などに関し、実施例４は主に請求項４、請求項１０などに関し、実施例５は主に請求項５などに関し、実施例６は主に請求項６などに関する。なお、本発明はこれら実施例に何ら限定されるものではなく、その要旨を逸脱しない範囲において、種々なる態様で実施しうる。
【実施例１】
【０００８】
<概要>
本実施例の録画再生装置は、線状に配置された複数の発光単位を例えば装置本体の前面パネルに備え、発光単位毎に発光させることが可能なようにして発光単位の全体と部分との比を識別可能にし、これによって記録媒体の再生位置や録画残量などを表示できるようにしたものである。
【０００９】
図１は、本実施例の録画再生装置の前面パネル部分の外観の一例を示す図である。本図の例では、録画再生装置０１００の前面に、記録媒体の再生位置や録画残量などを表示するために線状に配置された複数の発光単位として一直線上に配置された６個のＬＥＤ（Ｌｉｇｈｔ  Ｅｍｉｔｔｉｎｇ  Ｄｉｏｄｅ）発光体０１１１〜０１１６が備えられている。なお、このＬＥＤ発光体は、例えば複数のＬＥＤランプによって構成され、色が変えられるようになっている。
【００１０】
本図は、ＬＥＤ発光体の点灯内容によって例えば再生中の1個のコンテンツ内における現在の再生位置を示している状態である。本図の例は、６個のＬＥＤ発光体全体で当該コンテンツの再生所要時間の全体を示し、１個のＬＥＤ発光体がこの全体の再生所要時間の１／６を示している。即ち、各発光体が同じ時間割合を示している。
【００１１】
また、本図の例では、左から４番目のＬＥＤ発光体０１１４が青色に発光しており（図中斜線は青色で発光していることを表す。他図においても同様である
）、その余の５個のＬＥＤ発光体０１１１〜０１１３、０１１５、０１１６が白色に発光している。この例では、発光している発光体全体の数（本例では６個）がコンテンツ全体の再生所要時間を示し、青色で発光している発光体（本例では左から４個目の発光体）が現在の再生位置をコンテンツ全体の再生所要時間に対する相対的な位置で示している。具体的には、全体の３／６の再生が既に終了し、現在の再生位置が当該コンテンツ全体の３／６超４／６以下の位置にあることを示しており、例えば再生所要時間が６０分のコンテンツであれば、現在再生開始から３０分超４０分以下の位置にあるコンテンツ部分が再生されていることを示している。
【００１２】
<構成>
（録画再生装置）
図２は、本実施例の録画再生装置の機能ブロックの一例を示す。本図に示すように、「録画再生装置」０２００は、「コンテンツ記録再生部」０２１０と、「表示部」０２２０と、「発光信号出力部」０２３０と、「記録再生情報取得部」０２４０と、「第一制御部」０２５０とからなる。
「録画再生装置」は、上の各機能を有するものであればよく、特に限定はされない。ただし、従来のビデオテープのカセットに設けられたのぞき窓のように記録媒体の再生位置や録画残量を視覚的に容易に確認することができる録画再生装置を提供するという本発明の解決課題に照らせば、本発明の録画再生装置として主に想定されているのは、ビデオテープレコーダー以外の録画再生装置である。つまり、記録媒体を直接視認することでは再生位置や録画残量を確認することが困難な録画再生装置が広く想定される。例えば、ＨＤＤ（Ｈａｒｄ  Ｄｉｓｋ  Ｄｒｉｖｅ）レコーダーや、ＣＤ（Ｃｏｍｐａｃｔ  Ｄｉｓｃ）レコーダー、ＤＶＤ（Ｄｉｇｉｔａｌ  Ｖｉｄｅｏ  Ｄｉｓｃ）レコーダー、ＢＤ（Ｂｌｕ‐ｒａｙ  Ｄｉｓｃ）レコーダー、ＨＤ  ＤＶＤ（Ｈｉｇｈ  Ｄｅｆｉｎｉｔｉｏｎ  ＤＶＤ）レコーダー、フラッシュメモリなどが該当する。
【００１３】
なお、以下に記載する本録画再生装置の機能ブロックは、ハードウェア、ソフトウェア、又はハードウェア及びソフトウェアの両方として実現され得る。具体的には、コンピュータを利用するものであれば、ＣＰＵや主メモリ、バス、あるいは二次記憶装置（ハードディスクや不揮発性メモリ、ＣＤやＤＶＤどの記憶メディアとそれらメディアの読取ドライブなど）、印刷機器や表示装置、その他の外部周辺装置などのハードウェア構成部、またその外部周辺装置用のＩ／Ｏポート、それらハードウェアを制御するためのドライバプログラムやその他アプリケーションプログラム、情報入力に利用されるユーザーインターフェースなどが挙げられる。
【００１４】
そして主メモリ上に展開したプログラムに従ったＣＰＵの演算処理によって、インターフェースを介して入力されメモリやハードディスク上に保持されているデータなどが加工、蓄積されたり、上記各ハードウェアやソフトウェアを制御するための命令が生成されたりする。また、この発明は録画再生装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００１５】
（コンテンツ記録再生部）
「コンテンツ記録再生部」は、コンテンツの記録・再生を行うように構成される。「コンテンツ」は映像情報を含むものであれば、映像情報のみであっても、音声情報等を含むものであってもよい。また、映像は動画であっても静止画であってもよく、あるいはその双方を含むものであってもよい。
【００１６】
コンテンツの記録・再生は、公知技術を用いて行われる。従って、詳細な説明は省略するが、例えばアナログ放送コンテンツの録画・再生の場合であれば、放送波で放送されるコンテンツをチューナーを介して受信し、信号処理回路によって所定の信号処理を施すとともにエンコーダによりエンコードを行って記憶装置（記録媒体）に記録し、あるいは記録された映像情報、音声情報などを読み出し、デコーダによるデコード後にディスプレイ、スピーカ等から出力することで再生を行うという方法が用いられる。なお、エンコード／デコードは専用のハードウェアエンコーダ／デコーダを用いたハードウェア処理を用いても良いし、汎用回路によるソフトウェア処理を用いてもよい。あるいは、コンテンツがデジタル放送やリムーバブルメディアに記録済みのＭＰＥＧなどのストリームの場合には、信号処理回路による信号処理の後デコードを行わずに記憶装置（記録媒体）に記録し、再生するという方法を用いてもよい。
【００１７】
（表示部）
「表示部」は、複数の発光単位を線状に配置したものであり、この発光単位の点灯内容によって記録媒体の再生位置や録画残量などを表示するためのものである。
【００１８】
「発光単位」の種類には特に限定はなく、ＬＥＤのほか、例えば有機ＥＬ（Ｅｌｅｃｔｒｏ  Ｌｕｍｉｎｅｓｃｅｎｃｅ）、無機ＥＬ、ＦＬ（Ｆｌｕｏｒｅｓｃｅｎｔ  Ｌａｍｐ）などが考えられる。これを複数配置するのは、その全体を発光させたり一部を発光させたりして発光単位の全体と部分との比を識別可能にすることによって再生位置や録画残量などを表示できるようにするためである。発光単位の数も複数であればよく特に限定はない。ただし、視覚的な確認の容易性の観点からはある程度数を限定した方が好ましく、逆に再生位置等をある程度詳細に示すという観点からは相当程度の数を配置する方が好ましい。また、コンテンツの録画時間や再生時間が６０分を単位とすることが多いことから、このような時間を表現する上で便利な数とすることが好ましい。かかる観点から、表示部に配置されている発光単位の数は、６０の約数のうち１を除くいずれかに等しい数であることが好ましい。具体的には、発光単位の数が２、３，４、５、６、１０、１２、１５、２０、３０又は６０のいずれかであるものが該当する。図１に示した発光単位の数の「６」は、かかる観点からの好適な一例である。
【００１９】
また、発光単位を線状に配置するのは、例えば再生所要時間全体のうちどの程度の割合まで再生が済んだかとか、どの程度録画残量があるかといったことを、線状配置を時間軸に見立てることによって視覚的に容易に認識できる形で表現できるようにするためである。かかる観点からは、一直線上に配置したもの又は円状に配置したものが好適である。ただし、これらに限定されず、円状以外の曲線状（例えば波状）に配置したものであってもよい。
【００２０】
なお、各発光単位は、ユーザによる視覚的な確認を容易にするため、隣接する発光単位間にクロストークが発生しないようなものであることが望ましい。
【００２１】
（表示の具体例（１））
次に、この発光単位の点灯内容によって記録媒体の再生位置や録画残量などを具体的に表示した例について説明する。
【００２２】
図３は、発光単位の具体的な表示の一例であり、図１の例と同様、発光単位はＬＥＤ発光体であり、ＬＥＤ発光体の数が６である場合の例である。本図の例も、記録媒体の再生位置を表示する場合の例であり、また、６個のＬＥＤ発光体全体で１個のコンテンツの再生所要時間の全体を示し、１個のＬＥＤ発光体がこの全体の再生所要時間の１／６を示している例である。
【００２３】
このうち、図３（ａ）は、再生開始時におけるＬＥＤ発光体の点灯状態を示したものであり、その後、再生の進行につれて、ＬＥＤ発光体の点灯状態は順次図３（ｂ）、（ｃ）、（ｄ）、（ｅ）に示す状態に移行していく。まず、再生開始のために記録媒体が録画再生装置に装着されて再生コンテンツが選択されると、図３（ａ）に示すように、６個のＬＥＤ発光体０３１１〜０３１６全てが白色に発光する。既述のように、これが１個のコンテンツの再生所要時間の全体を示している。次に、再生ボタンの押下などによってコンテンツの再生が開始されると、図３（ｂ）に示すように、左端の１個のＬＥＤ発光体０３１１が青色に発光する。これにより当該コンテンツの再生位置が再生所要時間全体中に占める割合で示される。本例では、１個のＬＥＤ発光体が全体の再生所要時間の１／６を示しているので、当該コンテンツの冒頭から再生所要時間の１／６に当たる位置までの間を再生している間は、左端のＬＥＤ発光体が青色で発光する。仮に当該コンテンツの再生所要時間が６０分であれば、再生開始時から１０分後までの間左端のＬＥＤ発光体が青色で発光することになる。
【００２４】
次に、再生が進行して、再生所要時間の１／６を超えて２／６までの間を再生しているときは、図３（ｃ）に示すように左端のＬＥＤ発光体０３１１は白色の発光に戻り、代わって左から２番目のＬＥＤ発光体０３１２が青色で発光する。仮に当該コンテンツの再生所要時間が６０分であれば、再生開始から１０分を超えて２０分後までの間当該左から２番目のＬＥＤ発光体が青色で発光することになる。
【００２５】
図示は省略するが、同様にしてその後も再生所要時間の１／６を経過するごとに、青色に発光するＬＥＤ発光体の位置が一つずつ右に移行して行き、その余のＬＥＤ発光体が白色で発光する。そして、再生所要時間の５／６を超える部分を再生中は、図３（ｄ）に示すように右端のＬＥＤ発光体０３１６が青色で発光し、再生終了によって、図３（ｅ）に示すように全てのＬＥＤ発光体０３１１〜０３１６が白色の発光に戻る（あるいは全てのＬＥＤ発光体が消灯するようにしてもよい）。
【００２６】
このような表示方法によれば、青色に発光しているＬＥＤ発光体が白色で発光している全てのＬＥＤの中で占める相対的位置から、再生所要時間全体のうちどの再生位置を再生中であるかを、例えば青色に発光しているＬＥＤ発光体の位置が２／６であれば再生所要時間全体の１／６〜２／６の位置を再生中であるといった形で、視覚的に容易に知ることができる。
【００２７】
（表示の具体例（２））
【００２８】
図４は、発光単位の具体的な表示の別の一例であり、図３と同様、発光単位はＬＥＤ発光体であり、ＬＥＤ発光体の数が６である場合の例である。またやはり同様に、記録媒体の再生位置を表示する場合の例であり、６個のＬＥＤ発光体全体で１個のコンテンツの再生所要時間の全体を示し、１個のＬＥＤ発光体がこの全体の再生所要時間の１／６を示している例である。
【００２９】
ただし、図３の例と異なり、本図の例は、一旦青色に発光したＬＥＤ発光体は、その後再生が進行して右隣のＬＥＤ発光体が青色で発光するに至っても白色の発光には戻らずにその後も青色で発光し続けるようにしたものである。このうち図４（ｃ）は、図３（ｃ）と同じ状態、即ち、再生所要時間の１／６から２／６までの間を再生している状態を示す。この場合、図３（ｃ）の例と異なり、再生開始時から１／６までの間を再生しているときに青色で発光していた左端のＬＥＤ発光体０４１１は白色の発光に戻らず、左から２番目のＬＥＤ発光体０４１２とともに青色で発光し続ける。仮に当該コンテンツの再生所要時間が６０分であれば、再生開始１０分後から２０分後までの間当該左端及び左から２番目のＬＥＤ発光体が青色で発光することになる。
【００３０】
図示は省略するが、同様にしてその後も再生所要時間の１／６を経過するごとに、それまで青色で発光していたＬＥＤ発光体の右隣のＬＥＤ発光体が青色の発光を開始する。つまり、本例では、再生の進行とともに、青色で発光するＬＥＤ発光体の数が一つずつ増えていき、これら青色で発光するＬＥＤ発光体のうち一番右のＬＥＤ発光体が再生位置を示すことになる。そして、再生所要時間の５／６から最後までを再生中は、図４（ｄ）に示すように全てのＬＥＤ発光体が青色で発光し、再生終了によって、図４（ｅ）に示すように全てのＬＥＤ発光体が白色の発光に戻る（あるいは全てのＬＥＤ発光体が消灯するようにしてもよい）。
【００３１】
また、図４に示す発光形態においては、現在再生中である位置を明確にするため、例えば図４（ｂ）であれば、ＬＥＤ発光体０４１２が明滅点灯するよう構成しても良い。
【００３２】
このような表示方法によっても、青色に発光しているＬＥＤ発光体のうち一番右の発光体が全てのＬＥＤの中で占める相対的位置から、再生所要時間全体のうちどの再生位置を再生中であるかを視覚的に容易に知ることができる。
【００３３】
（表示の具体例（３））
【００３４】
図５は、発光単位の具体的な表示のさらに別の一例であり、図３、図４と同様、発光単位はＬＥＤ発光体であり、ＬＥＤ発光体の数が６である場合の例である。またやはり同様に、記録媒体の再生位置を表示する場合の例であり、６個のＬＥＤ発光体全体で１個のコンテンツの再生所要時間の全体を示し、１個のＬＥＤ発光体がこの全体の再生所要時間の１／６を示している例である。
【００３５】
本図の例は、図３の例と同様に、再生位置を示すＬＥＤ発光体だけが青色で発光し、未だ再生位置が到来していない部分のＬＥＤ発光体が白色で発光するものであるが、図３の例と異なり、再生位置を過ぎた部分のＬＥＤ発光体は白色に戻らず、消灯するようにしたものである。図５（ｃ）は、図３（ｃ）と同じ状態、即ち、再生所要時間の１／６から２／６までの間を再生している状態を示す。この場合、図３（ｃ）の例と異なり、再生開始時から１／６までの間を再生しているときに青色で発光していた左端のＬＥＤ発光体０５１１は白色の発光に戻らず、消灯する。
【００３６】
このような表示方法によっても、青色に発光しているＬＥＤ発光体が全てのＬＥＤの中で占める相対的位置から、再生所要時間全体のうちどの再生位置を再生中であるかを視覚的に容易に知ることができる。
【００３７】
なお、以上の図３から図５を用いた説明では、１個のコンテンツの再生所要時間の全体を最初に白色で発光させることで示し、再生位置を青色で発光させることで示す例で説明したが、このように再生所要時間の全体と再生位置とを異なる二色で示すことが、視覚的な識別の容易性の観点から望ましい。ただし、二色による表示による区別以外の方法でもよく、例えば一色の常時点灯と点滅によって区別するようにしてもよい。
【００３８】
また、図１にある例のように一の発光単位群によって、再生時の再生位置と録画時の録画残量の双方を、より明確に識別可能に示す場合には、例えば以下のような発光とする例が挙げられる。すなわち再生時には全ＬＥＤ発光体を白色に点灯させた状態で再生所要時間の全体を表し、「左から」青色にＬＥＤ発光体単位で点灯を行うことでその再生位置を表す。一方、記録時には全ＬＥＤを消灯させた状態で記録媒体の全容量を示し、「右から」ＬＥＤ発光体単位で消灯を行うことでその録画残量を表す、という具合である。あるいは、発光体の発光色を再生時は青色、記録時は赤色といった具合に変えることで両者を区別可能に構成しても良い。
【００３９】
また、上記例ではコンテンツが映像である場合の発光例について説明したが、それ以外のコンテンツでも上記発光例によって、そのコンテンツの再生位置などを示すよう構成すると良い。具体的には、例えばデジタルカメラで撮影した画像を閲覧する場合など、撮影された全画像の枚数を上記例の再生所要時間に見立てる。また、現在ディスプレイに表示中の画像を、例えば撮影時刻順やファイル名順で並べた際の並び順を上記例の再生位置に見立て、ＬＥＤ発光体などの発光を行う、という具合である。
【００４０】
そして表示部の発光単位を上記例のような発光状態となるよう制御するために、本実施例の録画再生装置は、さらに以下の構成を備えることを特徴とする。
【００４１】
（発光信号出力部）
「発光信号出力部」は、発行単位を、発光単位毎に発光信号にて発光させることが可能なように構成されている。具体的には、発光単位を所定の色で発光させるのに必要な電圧を付加するための発光信号を出力する。例えば、発光単位であるＬＥＤ発光体を白色で発光させるための発光信号を出力したり、青色で発光させるためのこれとは異なる発光信号を出力したりする。あるいは、発光している発光単位を消灯するために発光信号の出力を止めることも発光信号出力部の機能に含まれる。
【００４２】
ここでの特徴は、発光信号出力部が発光単位毎に発光させることが可能なように構成されている点、つまり、複数配置された発光単位のそれぞれに対して、任意に発光をさせるために発光信号出力部がそれぞれに対して独立に発光信号を出力できるように構成されている点にある。
【００４３】
（記録再生情報取得部）
「記録再生情報取得部」は、記録再生情報を取得するように構成されている。「記録再生情報」は、コンテンツ記録再生部の記録・再生に関する情報である。具体的には、例えば再生対象である一のコンテンツの再生所要時間に関する情報（以下「再生コンテンツ再生所要時間情報」という。）や当該再生対象コンテンツの全体中における再生位置を示す情報（以下「再生コンテンツ再生位置情報」という。）、あるいは再生対象のコンテンツが記録されている記録媒体に記録されている全コンテンツの再生所要時間に関する情報（以下「再生所要時間情報」という。）や当該全コンテンツの全体中における再生位置を示す情報である「再生位置情報」などが該当する。また、コンテンツ記録再生部であるＨＤＤなど記録媒体の全体容量に関する情報や同部の記録可能残容量を示す情報である「残容量情報」などが該当する。このように記録再生情報が残容量情報の場合は、当該情報は記録媒体全体の記録可能残容量を示す情報であるのが典型であるが、録画中のコンテンツの録画終了までに必要な残容量を示す情報であっても構わない。また、残容量情報が残り録画可能時間を示す場合は、例えば映像コンテンツであればＨＤ画質での記録とＳＤ画質の記録とで、その録画可能時間が変わってくる。そこで、残容量情報として、このような録画設定を示す情報が含まれていてもよい。
【００４４】
この記録再生情報の取得方法には、大別して二つの方法が考えられる。一つは、記録媒体の所定のアドレスに記録されている管理情報の中に格納されている記録再生情報を取り出して取得する方法である。かかる方法により取得可能な記録再生情報の種類としては、例えば、記録媒体に記録可能な全容量（以下、「記録媒体容量」という。）を示す情報、記録済みのコンテンツの容量（以下、「録画済み量」という。）を示す情報、残容量を示す情報などを挙げることができる。
【００４５】
他の一つは、再生中のコンテンツから直接記録再生情報を取得する方法である。例えば、ストリーム形式のコンテンツであれば、コンテンツの相対的な再生位置を示す情報を取得するために、ストリームを構成する各パケットのパケットヘッダ中に格納されている管理情報である記録再生情報としてパケット番号と、最後に記録・再生されるパケットのパケット番号とを取得する場合が該当する。即ち、かかる方法により取得可能な記録再生情報の種類として現在の再生位置を示す情報を挙げることができる。
【００４６】
また、コンテンツがデジタルカメラの撮影画像などであれば、再生に関する記録再生情報として、例えばフラッシュメモリなどに保持されている全画像の枚数や、ジャンル（フォルダ）単位での画像枚数、そして現在ディスプレイに表示中の画像の例えば撮影時刻順やファイル名順で並べた際の並び順、等の情報が挙げられる。また記録に関する記録再生情報としては、例えば、フラッシュメモリなどの全容量情報や、記録可能な残容量情報などが挙げられる。なお、これら情報の取得は、デジタルカメラが保持している管理情報や、撮影画像に付加されているＥＸＩＦ情報などを利用すると良い。
【００４７】
（第一制御部）
「第一制御部」は、取得した記録再生情報に応じて発光単位の全体と部分との比を識別可能に発光信号出力部を制御するように構成されている。「発光単位の全体と部分との比を識別可能に」制御するとは、表示部の構成の具体例で述べたように、複数の発光単位全体が当該コンテンツの再生所要時間や録画残量などの全体を示すように制御するとともに、その部分である各発光単位がこの全体の再生所要時間や録画残量の一部を示すように制御することを意味する。かかる制御を行うことで、発光単位の全体の表示と一部の表示を識別でき、かつその一部が全体のうちどれだけの割合を示しているかなどを識別できることになる。このため、各発光単位の表す時間の長さや量の大きさは、それら絶対値に応じて可変かつ均一となるように設定される。
これを具体例に即して説明すれば、例えば「発光単位の全体と部分との比を識別可能なように」とは、６個のＬＥＤ発光体全体が当該コンテンツの再生所要時間や録画残量などの全体を示し、その部分である１個のＬＥＤ発光体がこの全体の再生所要時間や録画残量の一部として１／６を示しているといった場合に、例えば、再生所要時間の全体を示す６個の発光単位の全体を白色で発光させ、再生位置を示す１個の発光単位を青色で発光させることでかかる識別を行えるようにする場合が該当する。この場合、１個のＬＥＤ発光体の表す時間の長さは、どれも全体の１／６という均一な長さに構成される。
【００４８】
この制御に係る具体的な構成を、再生所要時間が６０分間のコンテンツの再生位置を当該１個のコンテンツの再生所要時間全体に対する比率で示す表示を行う場合の例を用いつつ説明すれば、以下のとおりである。
【００４９】
この場合、第一制御部は、記録再生情報取得部が取得した再生コンテンツ再生所要時間情報（ここでは再生所要時間が６０分であるという情報）のほか、現在の再生位置を示す再生コンテンツ再生位置情報（例えば現在までの再生時間が１５分であるという情報に基づいて、再生位置情報（再生所要時間全体の１５／６０の位置であるとの情報）を取得する。そこで、第一制御部は、これらの記録再生情報（本例では再生位置情報）に応じて、発光単位を、その全体と部分との比を識別可能に発光させる制御を行う。このような「全体と部分との比を識別可能に発光させる制御」を実行するため、第一制御部は、例えば発光単位の発光のさせ方を定めたルールを記載したテーブル（発光ルールテーブル）を予め保持しており、このルールに従って制御を行う。かかる構成の詳細については、次に述べるハードウェア構成の説明の中でさらに説明する。
【００５０】
（ハードウェア構成）
次に、本実施例の録画再生装置のハードウェア構成について説明する。
図６は本実施例の録画再生装置のハードウェア構成の一例を示す概略図である。本図に示すように、本実施例の録画再生装置のコンテンツ記録再生部は、「記憶装置（記録媒体）」０６０１と、「メインメモリ」０６０２と、「ＣＰＵ」０６０３と、「Ｉ／Ｏ」０６０４と、Ｉ／Ｏを介して接続されている「チューナー」０６０５と、やはりＩ／Ｏを介して接続されているコンテンツの記録媒体である「ＤＶＤ」０６０６となどから構成される。記録再生情報取得部は、「記憶装置（記録媒体）」と、「メインメモリ」と、「ＣＰＵ」と、「Ｉ／Ｏ」とから構成される。表示部は、Ｉ／Ｏを介して接続されているＬＥＤ発光体などの複数の「発光単位」０６０７から構成される。発光信号出力部は、Ｉ／Ｏを介して接続されている発光単位に所定の発光信号を出力するための「ドライバー回路」０６０８から構成される。第一制御部は、「記憶装置（記録媒体）」と、「メインメモリ」と、「ＣＰＵ」とから構成される。
【００５１】
これらは「システムバス」０６０９などのデータ通信経路によって相互に接続され、情報の送受信や処理を行う。記憶装置はＣＰＵによって実行される各種プログラムなどを記憶している。またメインメモリは、プログラムがＣＰＵによって実行される際の作業領域であるワーク領域を提供する。また、このメインメモリや記憶装置にはそれぞれ複数のメモリアドレスが割り当てられており、ＣＰＵで実行されるプログラムは、そのメモリアドレスを特定しアクセスすることで相互にデータのやりとりを行い、処理を行うことが可能になっている。本例ではコンテンツ記録再生プログラムと、発光信号出力プログラムと、記録再生情報取得プログラムと、制御プログラムが記憶装置に記憶されており、これらのプログラムは例えば電源投入とともに自動的に記憶装置から読み出されてメインメモリに常駐する。
【００５２】
次に、各部に係るハードウェア構成について具体的に説明する。ここでは、説明をわかりやすくするために、図１で示したような、発光単位がＬＥＤ発光体であり、ＬＥＤ発光体の数が６である場合の例であって、記録媒体の再生位置を再生の進行に応じて青色で発光させるＬＥＤ発光体の位置を順次右へ移行させつつ表示する場合の例を用いながら説明する。なおこの場合も、６個のＬＥＤ発光体全体で１個のコンテンツの再生所要時間の全体を示し、１個のＬＥＤ発光体がこの全体の再生所要時間の１／６を示している例を用いる。
【００５３】
各部に係るハードウェア構成のうち、コンテンツ記録再生部に係るハードウェア構成は、既に説明したところと重複するので省略し、まず記録再生情報取得部に係るハードウェア構成について説明する。この場合、ＣＰＵは、記録再生情報取得プログラムの定める手順に従い、例えば記録媒体の所定のアドレスに記録されている「コンテンツの再生所要時間は６０分」などの管理情報（例えばストリーム形式のコンテンツであれば、ストリームを構成する各パケットのパケットヘッダ中に格納されている管理情報）の中に格納されている記録再生情報を読み出して取得する。あるいは、再生中のコンテンツから直接記録再生情報を取得する。このようにして取得した記録再生情報は一旦メインメモリに格納される。
【００５４】
次に、第一制御部に係るハードウェア構成について説明する。この場合、ＣＰＵは、制御プログラムを実行して、メインメモリに格納されている記録再生情報を読み出す。そして、この中から発光単位の全体と部分との比を識別可能に発光単位毎に発光信号にて発光させる制御を行うために必要な情報を読み出す。例えば、再生所要時間が６０分間のコンテンツの再生位置を当該１個のコンテンツの再生所要時間全体に対する比率で示す表示を行う場合であれば、まず、記録再生情報に含まれている再生コンテンツ再生所要時間情報（ここでは再生所要時間が６０分であるという情報）を読み出す。また、現在の再生位置を示す再生コンテンツ再生位置情報を、内蔵する時計機能やコンテンツのパケットヘッダに含まれるＰＴＳなどの同期用時間情報などを利用して取得する。この場合、図示は省略するが例えば記録再生情報に含まれる再生開始時刻を示す情報（再生開始時刻情報）（例えば午後８時）と現在の時刻を示す情報（現在時刻情報）（例えば午後８時１５分）とを読み出し、これから算出される現在までの再生時間（１５分間）を再生所要時間情報（６０分間）と比較して、再生コンテンツ再生位置情報（再生所要時間全体の１５／６０の位置であるとの情報）を取得する。取得した再生コンテンツ再生位置情報は、ＣＰＵがこれを一旦メインメモリに格納する。
【００５５】
次に、ＣＰＵは、これらの記録再生情報に応じて、発光単位を、その全体と部分との比を識別可能に発光させる制御を行う。具体的には、例えば記録再生情報に応じた発光単位の発光のさせ方を定めたルールを記載したテーブル（発光ルールテーブル）が予め記憶装置に保持されており、ＣＰＵがこれをメインメモリに読み出し、上の処理によって得られた再生位置情報をこのルールに当てはめて制御命令を生成する。
【００５６】
図７は、発光ルールテーブルの一例を示す。本図の例では、再生コンテンツ再生位置情報が示す再生位置Ｎの値に応じて、６個のＬＥＤ発光体（左から順にＮｏ．１、Ｎｏ．２...（中略）Ｎｏ．６として区別される）の発光のさせ方がルールとして定められている。上の例の場合は、Ｎ＝１５／６０であり、１／６<Ｎ≦２／６の場合に該当するので、当該テーブルに従って、Ｎｏ．２のＬＥＤ発光体を青色で、その余の発光体を白色で発光させるための制御命令を生成する。生成された制御命令も一旦メインメモリに格納される。
【００５７】
次に、発光信号出力部及び表示部に係るハードウェア構成について説明する。この場合、ＣＰＵは発光信号出力プログラムを実行して、上記処理によって生成された制御命令に従い、各発光単位を発光させるための制御を行う。上の例に即して具体例を挙げれば、ドライバー回路に対して、制御命令に従ってＮｏ．２のＬＥＤ発光体を青色で発光させるための発光信号を出力するように制御を行い、またその余の発光体を白色で発光させるための発光信号を出力するように制御を行う。これを受けてドライバー回路は、当該制御に従った発光信号を発光単位に対して出力する。この結果、各発光単位が、当該制御内容どおりに発光させられることになる。本例では、録画再生装置に線状に配置された６個のＬＥＤ発光体のうち左から２番目の発光体が青色で、その余の発光体が白色で発光する。これによって、ユーザは現在当該コンテンツの再生所要時間全体のうち１／６を超え２／６を超えない位置が再生中であることを知ることができる。
【００５８】
<処理の流れ>
図８は、本実施例の録画再生装置における処理の流れの一例を示す図である。
本図に示すように、まず、コンテンツ記録再生ステップＳ０８０１において、録画再生装置は、コンテンツの記録・再生を行う。
【００５９】
次に、記録再生情報取得ステップＳ０８０２において、録画再生装置は、記録再生情報を取得する。なお、当該ステップＳ０８０２における処理は、必ずしも上記のコンテンツ記録再生ステップＳ０８０１における処終了後に行われるわけではなく、当該ステップＳ０８０１の処理継続中にも行われ得る。以下に述べる第一制御ステップＳ０８０３、発光信号出力ステップＳ０８０４における処理についても同様である。
【００６０】
次に、第一制御ステップＳ０８０３において、録画再生装置は、記録再生情報取得ステップＳ０８０２において取得した記録再生情報に応じて、複数を線状に配置した発光単位の全体と部分との比を識別可能に発光単位毎に発光信号にて発光させるように制御する。
【００６１】
次に、発光信号出力ステップＳ０８０４において、録画再生装置は、第一制御ステップＳ０８０３にての制御に従い発光単位を発光させるための発光信号を出力し、これによって発光単位の全体と部分との比を識別可能に発光単位毎に発光させる。
【００６２】
さらに、処理終了か否かの判断ステップＳ０８０５において、録画再生装置は、処理を終了するか否かの判断を行い、終了すると判断した場合には処理を
終了する。一方、終了しないと判断した場合には、記録再生情報取得ステップＳ０８０２に戻って、当該時点における記録再生情報を改めて取得する。次に、録画再生装置は、第二制御ステップＳ０８０３において、記録再生情報取得ステップＳ０８０２で取得した記録再生情報に応じて、第一制御ステップＳ０８０３における処理及び発光信号出力ステップＳ０８０４における処理を行う。通例は、コンテンツ記録再生ステップＳ０８０１における処理が継続中は、当該判断ステップＳ０８０５において、録画再生装置は、処理を終了しないと判断して、ステップＳ０８０２からＳ０８０４までの処理を繰り返す。
【００６３】
<効果>
本実施例の発明により、記録媒体の再生位置や録画残量などを表示するための分割点灯が可能な照明を複数個備え、この照明の点灯内容によって再生位置や録画残量などをユーザが視覚的に容易に確認することが可能な録画再生装置を提供することが可能となる。
【実施例２】
【００６４】
<概要>
本実施例の録画再生装置は、基本的に実施例１の録画再生装置と共通する。ただし、本実施例の録画再生装置は、記録再生情報取得部がコンテンツ記録再生部の記録可能残容量を示す情報である残容量情報を取得する手段を有し、第一制御部が取得した残容量情報に基づいて前記識別可能とする比としてコンテンツ記録再生部の全体容量と記録可能残容量との比を示すための制御をする手段を有する点に特徴がある。
【００６５】
<構成>
（録画再生装置）
図９は、本実施例の録画再生装置の機能ブロックの一例を示す。本実施例の録画再生装置の構成は基本的に実施例1の装置と共通する。ただし、本実施例の「録画再生装置」０９００の「記録再生情報取得部」０９４０は、「第一残容量情報取得手段」０９４１を有し、「第一制御部」０９５０は、「第一残容量表示制御手段」０９５１を有する。以下、第一残容量情報取得手段と第一残容量表示制御手段の構成について説明する。その余の構成は実施例１と同様であるので、説明を省略する。
【００６６】
（記録再生情報取得部：残容量情報取得手段）
「第一残容量情報取得手段」は、コンテンツ記録再生部の記録可能残容量を示す情報である「残容量情報」を取得するように構成されている。この残容量情報は典型的には時間に関する情報であるが、データ量に関する情報であってもよい。
【００６７】
この取得は、残容量情報が時間に関する情報である場合には、例えば現在録画中のコンテンツの録画モード情報、当該録画の録画モードに対応した当該記録媒体の記録媒体容量（録画可能時間）を示す情報、録画開始からの経過時間情報を取得するとともに、当該録画可能時間から録画開始からの経過時間を減算することで行われる。例えば、コンテンツの録画所要時間が１２０分であり、これをある録画モードでの録画可能時間が１２０分である記録媒体に当該録画モードにて録画を行う場合、録画開始からの経過時間が２０分のときには、記録媒体の録画可能時間から録画開始からの経過時間を減算して１００分との残容量情報が得られる。また、残容量情報がデータ量に関する情報である場合には、現在録画中のコンテンツの録画モード（データレート）情報、当該録画の録画モード（データレート）に対応した当該記録媒体の記録媒体容量を示す情報、録画開始からの経過時間情報を取得するとともに、録画モード（データレート）情報と録画開始からの経過時間情報とにより当該コンテンツの録画モードに対応した当該コンテンツの録画に係る現在までのデータ消費量を示す情報を取得し、記録媒体容量を示す情報から現在までのデータ消費量を示す情報を減算することにより残容量情報が得られる。
【００６８】
また、現在録画中ではない場合には、単純にその記録媒体の残容量や、残り録画可能時間を取得するよう構成すると良い。
【００６９】
（第一制御部：第一残容量表示制御手段）
「第一残容量表示制御手段」は、上記の第一残容量情報取得手段が取得した残容量情報に基づいて前記識別可能とする比としてコンテンツ記録再生部の全体容量と記録可能残容量との比を示すための制御をするように構成されている。この制御も、実施例１で述べたところと同様、例えば発光単位の発光のさせ方を定めたルールを記載したテーブル（発光ルールテーブル）を利用して行う。
【００７０】
図１０は、発光単位の具体的な表示の一例であり、図１の例と同様、発光単位はＬＥＤ発光体であり、ＬＥＤ発光体の数が６である場合の例である。ただし本図の例は、記録媒体の録画残量を表示する場合の例であり、６個のＬＥＤ発光体全体で記録媒体の記録媒体容量を示し、１個のＬＥＤ発光体がこの全体の記録媒体容量の１／６を示している例である。
【００７１】
このうち、図１０（ａ）は、録画開始時におけるＬＥＤ発光体の点灯状態を示したものであり、その後、録画の進行につれて、ＬＥＤ発光体の点灯状態は順次図１０（ｂ）、（ｃ）、（ｄ）、（ｅ）に示す状態に移行していく。まず、録画開始のために未記録の記録媒体（例えば記録媒体容量が２５ＧＢで、ＨＤ画質での録画可能時間は１２０分のＢＤメディア）が録画再生装置に装着されて録画対象コンテンツ（ＨＤ画質コンテンツ）が選択されると、図１０（ａ）に示すように、６個のＬＥＤ発光体１０１１〜１０１６全てが白色に発光する。既述のように、これが記録媒体の記録媒体容量の全体を示している。次に、録画ボタンの押下などによってコンテンツの録画が開始された場合、録画開始当初から経過時間が２０分までの間は、図１０（ａ）と同様に６個のＬＥＤ発光体全てが白色に発光する状態が続く。次に、録画開始からの経過時間が２０分を超えて４０分までの間は、図１０（ｂ）に示すように、右端の１個のＬＥＤ発光体１０１６が消灯し、残りの５個のランプ１０１１〜１０１５が引き続き白色で点灯する。このようにして当該記録媒体の記録残量が記録媒体容量全体中に占める割合で示される。本例では、１個のＬＥＤ発光体が全体の記録媒体容量の１／６を示しているので、６個中５個のＬＥＤ発光体が白色に点灯していることで記録媒体容量全体のうち４／６以上５／６未満の残容量が存在していることが示されている。
【００７２】
その後録画が進行して、録画開始からの経過時間が４０分を超えると、図１０（ｃ）に示すように、右端から２番目のＬＥＤ発光体１０１５も消灯し、残りの４個の発光体１０１１〜１０１４が引き続き白色で点灯する。これにより、記録媒体容量全体のうち３／６以上４／６未満の録画残量があることが示されていることになる。
【００７３】
図示は省略するが、同様にしてその後も再生所要時間の１／６を経過するごとに、右から順次ＬＥＤ発光体が消灯し、この結果白色で点灯している発光体の数が右から一つずつ減っていく。そして、記録媒体容量の５／６を超えて録画中は、左端のＬＥＤ発光体１０１１のみが白色で点灯する。これにより記録媒体容量全体のうち１／６未満しか残容量がないことが示される。本例の場合には、録画残量が２０分未満であることが示されていることになる。なお、録画残量がさらに一定量を下回った場合（例えば５分未満となった場合）には、図１０（ｄ）に示すように左端のＬＥＤ発光体１０１１を一定間隔で点滅させてもよい（本図の左端のＬＥＤ発光体は点滅していることを示している）。これによりユーザに録画残量がさらに少なくなっている状態であることを知らせることが可能となる。さらに録画残量によってこの点滅間隔を、例えば録画残量が５分未満であるときは点滅１Ｈｚ、１分未満のときは点滅２Ｈｚというように、区別してもよい。
【００７４】
その後さらに録画が進行して、録画残量がゼロになる（本例では録画終了と同時に録画残量がゼロになる）と、図１０（ｅ）に示すように全てのＬＥＤ発光体が消灯する。
【００７５】
なお、以上では、未記録の記録媒体に録画する場合の例で説明したが、ある程度記録済みの記録媒体の空き容量を用いて録画する場合には、記録済みコンテンツの容量を勘案した上で上の例と同じ要領で残容量を表示すればよい。
【００７６】
また、以上では、録画終了と同時に残容量がゼロになる場合の例で説明したが、録画終了時に未だ残容量が存在している場合も残容量の表示のしかたは同じである。即ち、ＬＥＤ発光体による残容量の表示は、録画中であるか録画終了後であるかを問わず、その時点における状態が表示される点で変わりはない。
なお、記録できない記録媒体（例えば市販のＣＤ‐ＲＯＭなど）が録画再生装置に挿入されて録画開始のための操作が行われた場合には、録画が不可能であることを示すために、全てのＬＥＤ発光体を消灯するようにしてもよい。
【００７７】
（ハードウェア構成）
次に、本実施例の録画再生装置のハードウェア構成について説明する。
図１１は本実施例の録画再生装置のハードウェア構成の一例を示す概略図である。本図に示すように、本実施例の録画再生装置の第一残容量情報取得手段を含む記録再生情報取得部は、「記憶装置（記録媒体）」１１０１と、「メインメモリ」１１０２と、「ＣＰＵ」１１０３と、「Ｉ／Ｏ」１１０４とから構成される。また、第一残容量表示制御手段を含む第一制御部は、「記憶装置（記録媒体）」と、「メインメモリ」と、「ＣＰＵ」とから構成される。これらは「システムバス」１１０８などのデータ通信経路によって相互に接続され、情報の送受信や処理を行う。その余の構成は実施例１について図６を用いて説明したところと同様である。
【００７８】
次に、各部に係るハードウェア構成について具体的に説明する。ここでは、第一制御部の第一残容量表示制御手段の構成のみについて説明する。その余の構成は実施例１と同様であるので省略する。
【００７９】
この場合、まずＣＰＵは、制御プログラムの定める手順に従い、Ｉ／Ｏを介して接続されているＤＶＤなどの記録媒体から、録画再生情報として、例えば現在録画中のコンテンツの録画モード情報、当該録画の録画モードに対応した当該記録媒体の記録媒体容量（録画可能時間）を示す情報、録画開始からの経過時間情報を取得してメインメモリに格納する。
【００８０】
次に、ＣＰＵは、これらの記録再生情報に応じて、発光単位を、その全体と部分との比を識別可能に発光させる制御を行う。具体的には、これらの記録再生情報に基づいて残容量情報を取得する。また、残容量と記録媒体容量との比に応じた発光単位の発光のさせ方を定めたルールを記載したテーブル（発光ルールテーブル）が予め記憶装置に保持されており、ＣＰＵがこれをメインメモリに読み出し、上の処理により取得された残容量をこのルールに当てはめて比として示すための制御命令を生成する。かかるテーブルの例の図示は省略するが、実施例１で図７に示したものと同様に、残容量と記録媒体容量との比の値に応じて、６個のＬＥＤ発光体の発光のさせ方（その一例は図１０に示したようなものである）がルールとして定められているものである。
【００８１】
<処理の流れ>
図１２は、本実施例の録画再生装置における処理の流れの一例を示す図である。
本実施例の録画再生装置における処理の流れは、実施例１で図８を用いて説明した処理の流れと基本的に共通する。ただし、記録再生情報取得ステップＳ１２０２は、第一残容量情報取得サブステップＳ１２０３を有する。当該ステップＳ１２０３において、録画再生装置は、コンテンツ記録再生部の記録可能残容量を示す情報である残容量情報を取得する。また、第一制御ステップＳ１２０４は、第一残容量表示制御サブステップＳ１２０５を有する。当該ステップＳ１２０５において、録画再生装置は、前記ステップＳ１２０３にて取得した残容量情報に基づいて前記識別可能とする比としてコンテンツ記録再生部の全体容量と記録可能残容量との比を示すための制御をする。その余の処理の流れは、実施例１と同じであるので、説明を省略する。
【００８２】
<効果>
本実施例の発明により、特に、記録媒体の録画に係る残容量をユーザが視覚的に容易に確認することが可能な録画再生装置を提供することが可能となる。
【実施例３】
【００８３】
<概要>
本実施例の録画再生装置は、実施例１又は２の録画再生装置と基本的に共通する。ただし、本実施例の録画再生装置は、記録再生情報取得部がコンテンツ記録再生部のコンテンツ全体中再生位置を示す情報である再生位置情報を取得する手段を有し、第一制御部が取得した再生位置情報に基づいて前記識別可能とする比としてコンテンツの全体再生時間と現在までの再生時間との比を示すための制御をする手段を有する点に特徴がある。
【００８４】
<構成>
（全般）
図１３は、本実施例の録画再生装置の機能ブロックの一例を示す。本実施例の録画再生装置の構成は基本的に実施例1の録画再生装置と共通する。ただし、本実施例の「録画再生装置」１３００の「記録再生情報取得部」１３４０は、「第一再生位置情報取得手段」１３４２を有し、「第一制御部」１３５０は、「第一再生位置表示制御手段」１３５２を有する。以下、第一再生位置情報取得手段と第一再生位置表示制御手段の構成について説明する。その余の構成は実施例１又は２と同様であるので、説明を省略する。
【００８５】
（記録再生情報取得部：第一再生位置情報取得手段）
「第一再生位置情報取得手段」は、コンテンツ記録再生部のコンテンツ全体中再生位置を示す情報である「再生位置情報」を取得するように構成されている。
【００８６】
この取得は、取得対象が「再生位置情報」である点で実施例１で記載した例と同一であるが、再生対象のコンテンツが記録されている記録媒体に記録されている全コンテンツの再生所要時間に関する情報である「再生所要時間情報」と比較することで当該情報を取得する点で、実施例１における一のコンテンツ内での再生位置情報を取得する例と異なるが、取得に係る構成自体は実施例１で述べた例の場合と同じである。
【００８７】
（第一制御部：第一再生位置表示制御手段）
「第一再生位置表示制御手段」は、上記の第一再生位置情報取得手段が取得した再生位置情報に基づいて前記識別可能とする比としてコンテンツの全体再生時間と現在までの再生時間との比を示すための制御をするように構成されている。
【００８８】
この制御も、実施例１で述べたところと同様、例えば発光ルールテーブルを利用して行う。図示は省略するが、例えば図７に示した例と同様に、再生位置情報が示す再生位置の値に応じて、６個のＬＥＤ発光体の発光のさせ方がルールとして定められている。かかるテーブルを利用した具体的な制御にかかる構成は、実施例１で説明したところと同様である。
【００８９】
図１４は、発光単位の具体的な表示の一例であり、図１の例と同様、発光単位はＬＥＤ発光体であり、ＬＥＤ発光体の数が６である場合の例である。本図の例では、６個のＬＥＤ発光体全体で記録媒体に記録されているコンテンツ全体の再生所要時間を示し、１個のＬＥＤ発光体がこの全体の再生所要時間の１／６を示している。図示は省略するが、再生が開始され、進行する過程で、実施例１において図３（ａ）から（ｅ）に示したのと同様の推移をたどって、各状態下における再生位置が表示される。本図は、再生が進行して、コンテンツ全体の再生所要時間の１／６を超えて２／６までの間を再生しているときを示しており、図３（ｃ）に示す状態に相当する。本図に示すように左端のＬＥＤ発光体１４１１は白色で発光し（これはそれまで青色に発光していた状態から戻った状態である）、代わって左から２番目のＬＥＤ発光体１４１２が青色で発光している。仮に当該記録媒体におけるコンテンツ全体の再生所要時間が３６０分であれば、再生開始から６０分を超えて１２０分後までの間当該左から２番目のＬＥＤ発光体が青色で発光することになる。
【００９０】
このような表示方法によれば、青色に発光しているＬＥＤ発光体が白色で発光している全てのＬＥＤの中で占める相対的位置から、記録媒体における全てのコンテンツの再生所要時間全体のうちどの再生位置を再生中であるかを、例えば青色に発光しているＬＥＤ発光体の位置が２／６であれば再生所要時間全体の１／６〜２／６の位置を再生中であるといった形で、視覚的に容易に知ることができる。
【００９１】
なお、本実施例の録画再生装置のハードウェア構成は、ＣＰＵが再生位置表示制御のために取得する再生位置情報の対象が異なるだけで、構成自体は自体は実施例１で説明したところと同様であるから、説明を省略する。
【００９２】
<処理の流れ>
図１５は、本実施例の録画再生装置における処理の流れの一例を示す図である。
本実施例の録画再生装置における処理の流れは、実施例１で図８を用いて説明した処理の流れと基本的に共通する。ただし、記録再生情報取得ステップＳ１５０２は、第一再生位置情報取得サブステップＳ１５０３を有する。当該ステップＳ１５０３において、録画再生装置は、コンテンツ記録再生部のコンテンツ全体中再生位置を示す情報である残容量情報を取得する。また、第一制御ステップＳ１５０４は、第一残容量表示制御サブステップＳ１５０５を有する。当該ステップＳ１５０５において、録画再生装置は、前記ステップＳ１５０３にて取得した再生位置情報に基づいて前記識別可能とする比としてコンテンツの全体再生時間と現在までの再生時間との比を示すための制御をする。その余の処理の流れは、実施例１と同じであるので、説明を省略する。
【００９３】
<効果>
本実施例の発明により、特に、コンテンツの再生に係る再生位置をユーザが視覚的に容易に確認することが可能な録画再生装置を提供することが可能となる。
【実施例４】
【００９４】
<概要>
【００９５】
本実施例の録画再生装置は、実施例１から３の録画再生装置と同様に、記録媒体の再生位置や録画残量などを表示するための分割点灯が可能な照明として、複数の発光単位を線状に配置し、発光単位毎に発光させることが可能なように構成されている。そして、その相違点は、発光単位の全てに等しい時間、すなわち絶対的な固定時間を割り当てることで記録媒体の再生位置や録画残量などを表示できるようにした点である。
【００９６】
即ち、実施例１では、例えば６個の発光単位全体で「１２０分」を表す場合には、一の発光単位は「２０分間」を表し、６個の発光単位全体で「６０分」を表す場合、一の発光単位は「１０分間」を表す。このように実施例１では全体に対する部分の比で発光を制御するため、一の発光単位の表す時間は相対的で可変となる。一方、本実施例では、例えば６個の発光単位全体で「１２０分」を表す場合でも「６０分」を表す場合でも、その一の発光単位の表す時間は「１０分間」という具合に絶対的で固定されている点で異なるものである。
【００９７】
なお、本実施例の録画再生装置の前面パネル部分の外観の一例は図１に示したものと共通するものを採用することができる。つまり、本実施例の録画再生装置は、各発光単位に割り当てられる対象、およびそれに伴う発光制御の方法が実施例１と異なることからその発光の制御のしかたが異なるものの、複数の発光単位の配置のしかたは共通のデザインを用いることが可能である。さらに、実施例１の録画再生装置と本実施例の録画再生装置が互いを兼ねており、このそれぞれの装置が一式の発光単位を共有し、例えば両者の機能を切り換え可能にすることで、両者の構成を選択的に実施できるようにしたものであってもよい。
【００９８】
<構成>
（全般）
図１６は、本実施例の録画再生装置の機能ブロックの一例を示す。本図に示すように、「録画再生装置」１６００は、「コンテンツ記録再生部」１６１０と、「表示部」１６２０と、「発光信号出力部」１６３０と、「記録再生情報取得部」１６４０と、「第二制御部」１６６０とからなる。このうち、コンテンツ記録再生部、表示部、発光信号出力部及び記録再生情報取得部の構成は実施例１と共通するので説明を省略し、ここでは第二制御部の構成について説明する。
【００９９】
（第二制御部）
「第二制御部」は、発光単位の全てに等しい時間を割り当てて発光を制御することで記録再生情報のうちの時間情報を表現するように発光信号出力部を制御するように構成されている。「発光単位の全てに等しい時間を割り当て」るとは、複数の発光単位の一つ一つに同一の固定された時間を割り当てるという意味である。例えば、６個のＬＥＤ発光体によって記録媒体の録画残量を示す場合に、各発光体に５分を割り当てるという例がこれに該当する。実施例１でも、１個のＬＥＤ発光体が全体の時間に対する比を表す場合には、各発光体に割り当てられる時間は結果的に等しくなる。しかし、実施例１では、全体の時間が異なれば、これに応じて１個のＬＥＤ発光体が示す時間も変わる（例えば全体の時間が３０分であれば１個の発光体は５分を示すが全体の時間が１２０分になれば１個の発光体は２０分を示すのに対し、本実施例では、１個の発光体が示す時間は常に固定される（例えば常に５分を示す）。従って、実施例１では各発光体が示す時間を合計すれば全体の時間となるのに対し、本実施例では、各発光体が示す時間を合計しても全体の時間となるとは限らない（例えば、全体の時間が１２０分であっても、１個の発光体が示す時間は５分である）。
【０１００】
このように、発光単位の全てに等しい時間を割り当てる意義は、再生所要時間や記録媒体容量が大きい場合などに、例えば一の発光単位あたりが表す時間が「６０分」など幅広くなってしまい、現在の再生位置などの把握が曖昧になり過ぎてしまうことがあり、また、全体の時間や容量をユーザーが把握していないと一の発光単位が表す時間が判別できないことがあるため、これを解消することにある。つまり、本実施例の録画再生装置も、発光単位の点灯内容によって再生位置や録画残量などをユーザが視覚的に容易に確認することを可能にする点では実施例１などの録画再生装置と解決課題を共通にするものであるが、より詳細にいえば、実施例１などの録画再生装置が、現在の状況を全体に対する相対的な位置として視覚的に表示することによってユーザによる容易な確認を可能にしているのに対し、本実施例の録画再生装置は、現在の状況を絶対的な尺度として視覚的に表示することでこれを可能にしている点で異なるものである。
【０１０１】
この制御に係る具体的な構成を、現在１２０分間のコンテンツを録画中であって、当該録画の録画モードに対応した当該記録媒体の録画可能時間が１２０分である場合に、当該記録媒体の録画残容量を当該録画モードに対応した残時間で表示する場合の例を用いつつ説明すれば、以下のとおりである。
【０１０２】
この場合、第二制御部は、記録再生情報取得部が取得した記録媒体の録画可能時間（ここでは当該録画モードでの録画可能時間が１２０分であるという情報）のほか、現在までの録画済み時間に係る情報（例えば現在までの録画済み時間が１０５分であるという情報に基づいて、録画残時間に係る情報（１５分であるとの情報）を取得する。そこで、第二制御部は、これらの記録再生情報（本例では録画残時間情報）に応じて、発光単位を、その全てに等しい時間を割り当てて発光させる制御を行う。このような「発光単位の全てに等しい時間を割り当てて発光させる制御」を実行するため、第二制御部は、例えば発光単位の発光のさせ方を定めたルールを記載したテーブル（発光ルールテーブル）を予め保持しており、このルールに従って制御を行う。かかる構成の詳細については、後述のハードウェア構成の説明の中でさらに説明する。
【０１０３】
（表示の具体例（１））
次に、この発光単位の点灯内容によって記録媒体の再生位置や録画残量などを具体的に表示した例について説明する。
【０１０４】
図１７は、発光単位の具体的な表示の一例であり、図１などの例と同様、発光単位はＬＥＤ発光体であり、ＬＥＤ発光体の数が６である場合の例である。本図の例は、記録媒体の残容量を時間で表示する場合の例であり、また、１個のＬＥＤ発光体が１０分を示している例である。
【０１０５】
このうち、図１７（ａ）は、録画開始時におけるＬＥＤ発光体の点灯状態を示したものであり、その後、録画の進行につれて、ＬＥＤ発光体の点灯状態は順次図１７（ｂ）、（ｃ）、（ｄ）、（ｅ）に示す状態に移行していく。まず、録画開始のために未記録の記録媒体が録画再生装置に装着されて録画対象コンテンツが選択される。本例では、記録媒体の残容量が６個のＬＥＤ全体によって示される残容量である６０分を上回る１２０分存在しているものとする。この場合、録画コンテンツが選択されると、図１７（ａ）に示すように、６個のＬＥＤ発光体１７１１〜１７１６全てが白色に発光する。次に、録画ボタンの押下などによってコンテンツの録画が開始されると、記録媒体の残容量が５０分以上存在する間は、図１７（ａ）に示したのと同じ発光状態、即ち、６個のＬＥＤ発光体全てが白色に発光している状態が継続する。このことは、記録媒体の残容量が５０分以上存在していることを示している（本例では残容量が６０分未満になっても５０分以上である間は６個のＬＥＤ発光体全てが白色に発光する）。あるいは、図示は省略するが、記録媒体の残容量が５０分以上存在している状態で録画を進行中であることを録画開始前であることと区別して表示するため、例えば右端の発光体１７１６を青色の発光に変えてもよい。次に、録画が進行して残容量が５０分未満４０分以上になると、図１７（ｂ）に示すように、右端の１個のＬＥＤ発光体１７１６が消灯し、その余の５個のＬＥＤ発光体１７１１〜１７１５が引き続き白色に発光する。あるいは、図示は省略するが、発光させる発光体のうち右から２番目の発光体１７１５を青色の発光に変え、その余の４個の発光体１７１１〜１７１４を白色で発光させてもよい。
【０１０６】
図示は省略するが、同様にしてその後も録画が進行して残容量が１０分減るごとにごとに、消灯するＬＥＤ発光体が右から順に一つずつ増えていくとともに白色で発光するＬＥＤ発光体が右から順に一つずつ減っていく。そして、残容量が１０分未満になると、図１７（ｃ）に示すように左端のＬＥＤ発光体１７１１だけが白色で発光し、その余の発光体１７１２〜１７１６は消灯する。なお、録画残量がさらに一定量を下回った場合（例えば５分未満となった場合）には、図１７（ｄ）に示すように左端のＬＥＤ発光体１７１１を一定間隔で点滅させてもよい。これによりユーザに録画残量がさらに少なくなっている状態であることを知らせることが可能となる。さらに録画残量によってこの点滅間隔を、例えば録画残量が５分未満であるときは点滅１Ｈｚ、１分未満のときは点滅２Ｈｚというように、区別してもよい。
【０１０７】
そして、録画が終了し残容量がゼロになると、図１７（ｅ）に示すように全てのＬＥＤ発光体１７１１〜１７１６が消灯する。
【０１０８】
なお、以上では、未記録の記録媒体に録画する場合の例で説明したが、ある程度記録済みの記録媒体の空き容量を用いて録画する場合には、記録済みコンテンツの容量を勘案した上で上の例と同じ要領で残容量を表示すればよい。例えば、同じ録画モードで９０分のコンテンツが録画済みの記録媒体に３０分のコンテンツを録画する場合には、録画開始時に既に残容量が４０分未満３０分以上の状態であるので、６個中左端から４番目までの４個のＬＥＤ発光体が白色に点灯している状態が表示され、録画開始から１０分が経過し、残容量が３０分未満になると白色に点灯している４個のＬＥＤ発光体のうち右端の発光体が消灯した状態となり、以後１０分経過するごとに発光体が一つずつ消灯していき、録画が終了した時点で全てのＬＥＤ発光体が消灯する。
【０１０９】
また、以上では、録画終了と同時に残容量がゼロになる場合の例で説明したが、録画終了時に未だ残容量が存在している場合には、録画終了にその残容量を示す表示がなされる（例えば、録画終了時に残容量が１５分存在していれば、左端から２番目までの２個のＬＥＤ発光体が白色に発光した状態のままとなる）。この場合に点灯している発光体のうち右端の発光体を青色で発光させる場合には、録画が終了したことを示すために、それまで青色で発光させていた発光体を白色の発光に変えてもよい。さらに、録画終了以前に残容量がゼロになる場合にも、上と同様に残容量に応じてＬＥＤ発光体の点灯内容が変化していき、残容量がゼロになった時点で全ての発光体が消灯することになる。
【０１１０】
また本実施例の構成においては、例えば１つの発光単位で絶対的に「１０分」という時間を表し、６個の発光単位にて６０分は表示可能としている場合に、６０分以上のコンテンツを表示するために以下のような工夫を設けてもよい。例えば、コンテンツの再生などが６０分経過した後は、一旦発光単位を全て消灯した後、再度１から発光単位の制御をリスタートする（二巡目の発光制御を開始する）方法が挙げられる。また、リスタートの際には、発光単位の発光色を一巡目の青色から濃い青色に変更して制御するよう構成しても良い。あるいは、「左から」順次青色に発光させるよう制御した後、二巡目は「右から」発光制御する、と言った構成をとってもよい。
【０１１１】
以上に説明したような表示方法によれば、白色で発光しているＬＥＤの数（ないし発光しているＬＥＤ発光体のうち右端の発光体を青色で発光させる例では、青色で発光しているＬＥＤの位置）から、記録媒体の残容量がどれだけ存在しているかを、例えば白色に発光しているＬＥＤ発光体の数が２個であれば残容量が２０分以上存在しているといった形で、視覚的に容易に知ることができる。
【０１１２】
（ハードウェア構成）
次に、本実施例の録画再生装置のハードウェア構成について説明する。
図１８は本実施例の録画再生装置のハードウェア構成の一例を示す概略図である。本図に示すように、本実施例の録画再生装置のコンテンツ記録再生部は、「記憶装置（記録媒体）」１８０１と、「メインメモリ」１８０２と、「ＣＰＵ」１８０３と、「Ｉ／Ｏ」１８０４と、Ｉ／Ｏを介して接続されている「チューナー」１８０５と、やはりＩ／Ｏを介して接続されているコンテンツの記録媒体である「ＤＶＤ」１８０６となどから構成される。記録再生情報取得部は、「記憶装置（記録媒体）」と、「メインメモリ」と、「ＣＰＵ」と、「Ｉ／Ｏ」とから構成される。表示部は、Ｉ／Ｏを介して接続されているＬＥＤ発光体などの複数の「発光単位」１８０７から構成される。発光信号出力部は、Ｉ／Ｏを介して接続されている発光単位に所定の発光信号を出力するための「ドライバー回路」１８０８から構成されている。第二制御部は、「記憶装置（記録媒体）」と、「メインメモリ」と、「ＣＰＵ」とから構成される。
【０１１３】
これらは「システムバス」１８０８などのデータ通信経路によって相互に接続され、情報の送受信や処理を行う。記憶装置はＣＰＵによって実行される各種プログラムなどを記憶している。またメインメモリは、プログラムがＣＰＵによって実行される際の作業領域であるワーク領域を提供する。また、このメインメモリや記憶装置にはそれぞれ複数のメモリアドレスが割り当てられており、ＣＰＵで実行されるプログラムは、そのメモリアドレスを特定しアクセスすることで相互にデータのやりとりを行い、処理を行うことが可能になっている。本例ではコンテンツ記録再生プログラムと、発光信号出力プログラムと、記録再生情報取得プログラムと、制御プログラムが記憶装置に記憶されており、これらのプログラムは例えば電源投入とともに自動的に記憶装置から読み出されてメインメモリに常駐する。
【０１１４】
次に、各部に係るハードウェア構成について具体的に説明する。ここでは、説明をわかりやすくするために、図１７で示したような、発光単位がＬＥＤ発光体であり、ＬＥＤ発光体の数が６である場合の例であって、記録媒体の残容量を録画の進行に応じて白色で発光させるＬＥＤ発光体の数を順次右から減らしつつ表示する場合の例を用いながら説明する。なおこの場合も、１個のＬＥＤ発光体が時間で表される残容量の１０分を示している例を用いる。
【０１１５】
各部に係るハードウェア構成のうち、コンテンツ記録再生部，記録再生情報取得部，発光信号出力部及び表示部に係るハードウェア構成は、実施例１で説明したところと共通するので省略し、ここでは第二制御部に係るハードウェア構成について説明する。
【０１１６】
この場合、ＣＰＵは、制御プログラムを実行して、メインメモリに格納されている記録再生情報を読み出す。そして、この中から発光単位の全てに等しい時間を割り当てて発光を制御するために必要な情報を読み出す。例えば、ＨＤ画質で１２０分の録画コンテンツをＨＤ画質での記録媒体容量が１２０分の記録媒体に録画する場合の残容量を表示する場合で説明すれば以下のとおりである。まず、記録再生情報に含まれている記録媒体の記録媒体容量情報（ここでは当該録画の録画モードでの当該記録媒体の記録媒体容量が１２０分であるという情報）を読み出す。また、録画コンテンツの録画所要時間情報（ここでは当該録画コンテンツの録画所要時間が１２０分であるという情報）を読み出す。また、現在の残容量を示す残容量情報を、内蔵する時計機能などを利用して取得する。この場合、図示は省略するが例えば記録再生情報に含まれる録画開始時刻を示す情報（録画開始時刻情報）（例えば午後８時）と現在の時刻を示す情報（現在時刻情報）（例えば午後９時１５分）とを読み出し、これから算出される現在までの録画時間（７５分間）を記録媒体容量情報（１２０分間）と比較して、残容量情報（４５分間であるとの情報）を取得する。取得した残容量情報は、ＣＰＵがこれを一旦メインメモリに格納する。
【０１１７】
次に、ＣＰＵは、これらの記録再生情報に応じて、発光単位の全てに等しい時間を割り当てて発光を制御するために制御を行う。具体的には、例えば記録再生情報に応じた発光単位の発光のさせ方を定めたルールを記載したテーブル（発光ルールテーブル）が予め記憶装置に保持されており、ＣＰＵがこれをメインメモリに読み出し、上の処理によって得られた再生位置情報をこのルールに当てはめて制御命令を生成する。
【０１１８】
図１９は、発光ルールテーブルの一例を示す。本図の例では、残容量情報が示す残容量Ｍの値に応じて、６個のＬＥＤ発光体（左から順にＮｏ．１、Ｎｏ．２...（中略）Ｎｏ．６として区別される）の発光のさせ方がルールとして定められている。上の例の場合は、Ｍ＝４５であり、５０>Ｍ≧４０の場合に該当するので、当該テーブルに従って、右端のＬＥＤ発光体（Ｎｏ．６）を消灯し、その余の５個のＬＥＤ発光体（Ｎｏ．１〜５）を白色で発光させるための制御命令を生成する。生成された制御命令も一旦メインメモリに格納される。
【０１１９】
そこで、ＣＰＵは発光信号出力プログラムを実行して、上記処理によって生成された制御命令に従い、各発光単位を発光させるための制御を行う結果、各発光単位が、当該制御内容どおりに発光させられることになる。本例では、録画再生装置に線状に配置された６個のＬＥＤ発光体のうち右端の発光体が消灯し、その余の発光体が白色で発光する。これによって、ユーザは現在当該記録媒体の残容量が５０分未満４０分以上であることを知ることができる。
【０１２０】
<処理の流れ>
図２０は、本実施例の録画再生装置における処理の流れの一例を示す図である。
本図に示すように、まず、コンテンツ記録再生ステップＳ２００１において、録画再生装置は、コンテンツの記録・再生を行う。
【０１２１】
次に、記録再生情報取得ステップＳ２００２において、録画再生装置は、記録再生情報を取得する。なお、当該ステップＳ２００２における処理は、必ずしも上記のコンテンツ記録再生ステップＳ２００１における処終了後に行われるわけではなく、当該ステップＳ２００１の処理継続中にも行われ得る。以下に述べる第二制御ステップＳ２００３、発光信号出力ステップＳ２００４における処理についても同様である。
【０１２２】
次に、第二制御ステップＳ２００３において、録画再生装置は、記録再生情報取得ステップＳ２００２において取得した記録再生情報に応じて、複数を線状に配置した発光単位の全てに等しい時間を割り当てて発光を制御する。
【０１２３】
次に、発光信号出力ステップＳ２００４において、録画再生装置は、第二制御ステップＳ２００３にての制御に従い発光単位を発光させるための発光信号を出力し、これによって発光単位の全てに等しい時間を割り当てて発光単位毎に発光させる。
【０１２４】
さらに、処理終了か否かの判断ステップＳ２００５において、録画再生装置は、処理を終了するか否かの判断を行い、終了すると判断した場合には処理を処理を終了する。一方、終了しないと判断した場合には、記録再生情報取得ステップＳ２００２に戻って、当該時点における記録再生情報を改めて取得する。次に、録画再生装置は、第二制御ステップＳ２００３において、記録再生情報取得ステップＳ２００２で取得した記録再生情報に応じて、第一制御ステップＳ２００３における処理及び発光信号出力ステップＳ２００４における処理を行う。通例は、コンテンツ記録再生ステップＳ２００１における処理が継続中は、当該判断ステップＳ２００５において、録画再生装置は、処理を終了しないと判断して、ステップＳ２００２からＳ２００４までの処理を繰り返す。
【０１２５】
<効果>
本実施例の発明により、記録媒体の再生位置や録画残量などを表示するための分割点灯が可能な照明を複数個備え、この照明の点灯内容によって再生位置や録画残量などをユーザが視覚的に容易に確認することが可能な録画再生装置を提供することが可能となる。特に、本実施例の録画再生装置は、実施例１の装置と異なり、現在の状況を全体に対する相対的な位置として表示するのではなく、これを絶対的な尺度として表示することでかかるユーザによる視覚的に容易な確認を可能にしている。
【実施例５】
【０１２６】
<概要>
本実施例の録画再生装置は、基本的に実施例４の録画再生装置と共通する。ただし、本実施例の録画再生装置は、記録再生情報取得部がコンテンツ記録再生部の記録可能残容量を示す情報である残容量情報を取得する手段を有し、第二制御部が取得した残容量情報に基づいて発光させる発光単位が記録可能残容量を示すように制御をする手段を有する点に特徴がある。
【０１２７】
<構成>
（録画再生装置）
図２１は、本実施例の録画再生装置の機能ブロックの一例を示す。本実施例の録画再生装置の構成は基本的に実施例４の装置と共通する。ただし、本実施例の「録画再生装置」２１００の「記録再生情報取得部」２１４０は、「第二残容量情報取得手段」２１４３を有し、「第二制御部」２１６０は、「第二残容量表示制御手段」２１６１を有する。以下、第二残容量情報取得手段と第二残容量表示制御手段の構成について説明する。その余の構成は実施例４と同様であるので、説明を省略する。
【０１２８】
（記録再生情報取得部：第二残容量情報取得手段）
「第二残容量情報取得手段」は、コンテンツ記録再生部の記録可能残容量を示す情報である「残容量情報」を取得するように構成されている。この残容量情報は典型的には時間に関する情報であるが、データ量に関する情報を取得し、データレートなどの情報を利用して時間情報に変換して取得してもよい。この残容量情報の取得に係る具体的構成は、実施例２において第一残容量情報取得手段について説明したところと共通する。
【０１２９】
（第二制御部：第二残容量表示制御手段）
「第一残容量表示制御手段」は、第二残容量情報取得手段が取得した残容量情報に基づいて発光させる発光単位が記録可能残容量を示すように制御をするように構成されている。
【０１３０】
この制御も、実施例４で述べたところと同様、例えば発光単位の発光のさせ方を定めたルールを記載したテーブル（発光ルールテーブル）を利用して行う。図示は省略するが、残容量情報が時間に関する情報である場合には、例えば現在録画中のコンテンツの録画モード情報、当該録画の録画モードに対応した当該記録媒体の録画可能時間に関する情報、録画開始からの経過時間情報を取得するとともに、当該記録媒体の録画可能時間から録画開始からの経過時間を減算することで得られる残容量情報に基づいて行われる。例えば、コンテンツの録画所要時間が１２０分であり、これをある録画モードでの録画可能時間が１２０分である記録媒体に当該録画モードにて録画を行う場合、録画開始からの経過時間が７５分のときには、記録媒体の録画可能時間から録画開始からの経過時間を減算して４５分との残容量情報が得られるので、第二残容量表示制御手段は、これに基づき等しい時間を割り当てた各発光単位を発光させて記録可能残容量を示すための制御を行う。具体的には、例えば、実施例４で図１９に示した発光ルールテーブルを利用して、５０>Ｍ≧４０の場合のルールを適用して、記録媒体の残容量が５０分未満４０分以上であることを示す表示、即ち、右端のＬＥＤ発光体を消灯し、その余の５個のＬＥＤ発光体を白色で発光させるための制御を行う。
【０１３１】
本実施例の録画装置の発光単位の具体的な表示の一例は、実施例４において図１７を用いて説明したところと同様である。
【０１３２】
（ハードウェア構成）
次に、本実施例の録画再生装置のハードウェア構成について説明する。
図２２は本実施例の録画再生装置のハードウェア構成の一例を示す概略図である。本図に示すように、本実施例の録画再生装置の第二残容量情報取得手段を含む記録再生情報取得部は、「記憶装置（記録媒体）」２２０１と、「メインメモリ」２２０２と、「ＣＰＵ」２２０３と、「Ｉ／Ｏ」２２０４とから構成される。また、第二残容量表示制御手段を含む第二制御部は、「記憶装置（記録媒体）」と、「メインメモリ」と、「ＣＰＵ」とから構成される。これらは「システムバス」２２０８などのデータ通信経路によって相互に接続され、情報の送受信や処理を行う。その余の構成は実施例４について図１８を用いて説明したところと同様である。
【０１３３】
次に、各部に係るハードウェア構成について具体的に説明する。ここでは、第二制御部の第二残容量表示制御手段の構成について説明する。その余の構成は実施例４と同様であるので省略する。
【０１３４】
この場合、ＣＰＵは、制御プログラムを実行して、メインメモリに格納されている記録再生情報の中から残容量を表示するために発光単位の全てに等しい時間を割り当てて発光を制御するのに必要な情報として利用するための情報を読み出す。例えば、ＨＤ画質モードでの録画可能時間が１２０分である未記録の記録媒体に、録画所要時間が１２０分であるＨＤ画質コンテンツの録画を行うケースについて説明すれば、以下のとおりである。まず、記録再生情報に含まれているコンテンツの録画所要時間情報（ここでは当該時間が１２０分であるとの情報）、録画モード情報、当該録画モードにての記録媒体の記録媒体容量情報を読み出す。また、ＣＰＵは録画残量を内蔵する時計機能などを利用して取得する。例えば、当該録画モードにての記録媒体の記録媒体容量情報が１２０分であり、録画開始からの経過時間が７５分のときには、記録媒体の録画可能時間から録画開始からの経過時間を減算して４５０分との残容量情報が得られる。取得した残容量情報は、ＣＰＵがこれを一旦メインメモリに格納する。
【０１３５】
次に、ＣＰＵは、これらの残容量情報に応じて、発光単位の全てに等しい時間を割り当てて発光させる制御を行う。具体的には、例えば残容量情報に応じた発光単位の発光のさせ方を定めたルールを記載したテーブル（発光ルールテーブル）が予め記憶装置に保持されており、ＣＰＵがこれをメインメモリに読み出し、上の処理によって得られた再生位置情報をこのルールに当てはめて制御命令を生成する。かかるテーブルの例の図示は省略するが、実施例４で図１９に示したものと同様に、残容量情報が示す残容量の値に応じて、６個のＬＥＤ発光体の発光のさせ方がルールとして定められている。当該テーブルが図１９に示したものと同じルールを定めている場合には、上の例の場合、各発光単位に等しく１０分という時間が割り当てられ、残容量が４５分であり、当該テーブル中５０>Ｍ≧４０の場合に当たるので、当該ルールに従って、右端のＬＥＤ発光体（Ｎｏ．６）を消灯し、その余の５個のＬＥＤ発光体（Ｎｏ．１〜５）を白色で発光させるための制御命令を生成する。生成された制御命令も一旦メインメモリに格納される。
【０１３６】
<処理の流れ>
図２３は、本実施例の録画再生装置における処理の流れの一例を示す図である。
本実施例の録画再生装置における処理の流れは、実施例４で図２０を用いて説明した処理の流れと基本的に共通する。ただし、記録再生情報取得ステップＳ２３０２は、第二残容量情報取得サブステップＳ２３０３を有する。当該ステップＳ２３０３において、録画再生装置は、コンテンツ記録再生部の記録可能残容量を示す情報である残容量情報を取得する。また、第二制御ステップＳ２３０４は、第二残容量表示制御サブステップＳ２３０５を有する。当該ステップＳ２３０５において、録画再生装置は、前記ステップＳ２３０３にて取得した残容量情報に基づいて発光させる発光単位が記録可能残容量を示すように制御をする。その余の処理の流れは、実施例４と同じであるので、説明を省略する。
【０１３７】
<効果>
本実施例の発明により、特に、記録媒体の録画に係る残容量を絶対的な尺度として表示することで、ユーザが視覚的に容易に確認することが可能な録画再生装置を提供することが可能となる。
【実施例６】
【０１３８】
<概要>
本実施例の録画再生装置は、実施例４又は５の録画再生装置と基本的に共通する。ただし、本実施例の録画再生装置は、記録再生情報取得部がコンテンツ記録再生部のコンテンツ全体中再生位置を示す情報である再生位置情報を取得する手段を有し、第二制御部が取得した再生位置情報に基づいて発光させる発光単位が再生位置を示すように制御をする手段を有する点に特徴がある。
【０１３９】
<構成>
（全般）
図２４は、本実施例の録画再生装置の機能ブロックの一例を示す。本実施例の録画再生装置の構成は基本的に実施例1の録画再生装置と共通する。ただし、本実施例の「録画再生装置」２４００の「記録再生情報取得部」２４４０は、「第二再生位置情報取得手段」２４４４を有し、「第二制御部」２４６０は、「第二再生位置表示制御手段」２４６２を有する。以下、第二再生位置情報取得手段と第二再生位置表示制御手段の構成について説明する。その余の構成は実施例４又は５と同様であるので、説明を省略する。
【０１４０】
（記録再生情報取得部：第二再生位置情報取得手段）
「第二再生位置情報取得手段」は、コンテンツ記録再生部のコンテンツ全体中再生位置を示す情報である「再生位置情報」を取得するように構成されている。この取得に係る具体的構成は実施例３の録画再生装置の第一再生位置情報取得手段が再生位置情報の取得を行うための構成と同じであり、ただ、この取得に応じた再生位置の表示制御に係る構成が、以下に述べるように実施例３とは異なるだけである。
【０１４１】
（第二制御部：第二再生位置表示制御手段）
「第一再生位置表示制御手段」は、上記の第一再生位置情報取得手段が取得した再生位置情報に基づいて発光させる発光単位が再生位置を示すように制御をするように構成されている。
【０１４２】
この制御も、実施例４で述べたところと同様、例えば発光ルールテーブルを利用して行う。
図２５は、発光ルールテーブルの一例を示す。本図の例では、再生コンテンツ再生位置情報が示す再生位置Ｎの値に応じて、６個のＬＥＤ発光体（左から順にＮｏ．１、Ｎｏ．２...（中略）Ｎｏ．６として区別される）の発光のさせ方がルールとして定められている。例えば、各発光単位に１０分を割り当てることにより現在の再生位置を表示することととし、記録媒体に記録されている全コンテンツのうち再生順序が１番目のコンテンツの再生を開始した場合、再生開始から３０分経過した時点では、本テーブルの２０<Ｎ≦３０の場合に該当するので、当該テーブルに従って、Ｎｏ．３のＬＥＤ発光体を青色で、その余の発光体を白色で発光させるための制御を行う。
【０１４３】
（表示の具体例（１））  
図２６は、発光単位の具体的な表示の一例であり、図１などの例と同様、発光単位はＬＥＤ発光体であり、ＬＥＤ発光体の数が６である場合の例である。本図の例では、１個のＬＥＤ発光体が記録媒体に記録されているコンテンツの再生所要時間として１０分を示している。このうち、図２６（ａ）は、再生開始時におけるＬＥＤ発光体の点灯状態を示したものであり、その後、再生の進行につれて、ＬＥＤ発光体の点灯状態は順次図２６（ｂ）、（ｃ）、（ｄ）、（ｅ）に示す状態に移行していく。
【０１４４】
まず、再生開始のために記録媒体が録画再生装置に装着されて記録媒体に記録されている全コンテンツのうち再生順序が１番目のコンテンツが選択されると、図２６（ａ）に示すように、６個のＬＥＤ発光体２６１１〜２６１６全てが白色に発光する。このことは、記録媒体に記録されている全コンテンツの再生所要時間が６０分以上であることを示している。次に、再生ボタンの押下などによってコンテンツの再生が開始されると、図２６（ｂ）に示すように、左端の１個のＬＥＤ発光体２６１１が青色に発光する。これにより当該コンテンツの再生位置が再生開始からの時間で示される。本例では、１個のＬＥＤ発光体が１０分の再生時間を示しているので、当該コンテンツの再生開始から１０分後までの間は、左端のＬＥＤ発光体が青色で発光する。
【０１４５】
次に、再生が進行して、再生開始から１０分を超えて２０分までの間を再生しているときは、図２６（ｃ）に示すように左端のＬＥＤ発光体２６１１は白色の発光に戻り、代わって左から２番目のＬＥＤ発光体２６１２が青色で発光する。
【０１４６】
図示は省略するが、同様にしてその後も再生時間が１０分経過するごとに、青色に発光するＬＥＤ発光体の位置が一つずつ右に移行して行き、その余のＬＥＤ発光体が白色で発光する。そして、再生開始から５０分を超えると、図２６（ｄ）に示すように右端のＬＥＤ発光体２６１６が青色で発光し、以後は再生終了までこの状態が継続し、再生終了によって、図２６（ｅ）に示すように全てのＬＥＤ発光体２６１１〜２６１６が白色の発光に戻る（あるいは全てのＬＥＤ発光体が消灯するようにしてもよい）。
【０１４７】
また、図示は省略するが、再生開始から例えば６０分間は左端の１個のＬＥＤ発光体が青色で発光させ、その後１０分経過するごとに青色で発光させるＬＥＤ発光体の位置を一つずつ右に移行させていくようにしてもよい。この場合、再生開始後６０分〜１２０分の間において再生位置を１０分単位で表示することが可能となるので、再生時間が長い大容量の記録媒体などの再生の場合に再生終了が近づいてから再生位置をより詳細に知りたいときなどに好適である。
【０１４８】
また、図示は省略するが、実施例１などと同様に、再生開始からの時間の経過に伴い青色で発光させる発光体を一つずつ増やしていってもよい。
【０１４９】
なお、以上では、記録媒体に記録されている全コンテンツのうち再生順序が１番目のコンテンツを再生する場合について示したが、再生順序が２番目以降のコンテンツを再生する場合には、再生開始時の表示状態は、それより前のコンテンツの再生終了位置を示すもののとなる。例えば、図示は省略するが、１番目のコンテンツとして再生所要時間３０分のコンテンツが記録されている場合に、２番目のコンテンツを再生する場合には、再生が開始されると、いきなり左から４番目のＬＥＤ発光体が青色に発光する。
【０１５０】
（表示の具体例（２））  
あるいは、再生開始からの経過時間ではなく、記録媒体に記録されている全コンテンツのうち再生順序が最後のコンテンツの再生終了までの位置で表示するようにしてもよい。図示は省略するが、例えば、記録媒体に記録されている全コンテンツの再生所要時間が１８０分である場合に、再生順序が１番目のコンテンツの再生を開始した場合に、再生終了までの位置を１８０分から順次表示するようにする。この場合も、再生開始から残り時間が６０分になるまで１０分単位で表示し、その後は残り時間がゼロになるまで右端の発光体を青色で発光させ続けてもよいし、あるいは、例えば再生開始から残り時間が６０分になるまでは左端の発光体を青色で発光させ続け、その後は１０分単位で青色で発光させる発光体を一つずつ右に移行させていってもよい。
【０１５１】
以上に説明したような表示方法によれば、青色に発光しているＬＥＤ発光体の位置や数から、記録媒体に記録されているコンテンツ全体のうちどの再生位置を再生中であるかを、例えば青色に発光しているＬＥＤ発光体の位置が左端であれば再生所要時間全体の１０分以下の位置を再生中であるといった形で、視覚的に容易に知ることができる。
【０１５２】
なお、本実施例の録画再生装置のハードウェア構成は、ＣＰＵが再生位置表示制御のために取得する再生位置情報の対象は実施例３と共通し、また取得した情報に基づく制御の処置手順は実施例４、５と共通するので、説明を省略する。
【０１５３】
<処理の流れ>
図２７は、本実施例の録画再生装置における処理の流れの一例を示す図である。
本実施例の録画再生装置における処理の流れは、実施例４で図２０を用いて説明した処理の流れと基本的に共通する。ただし、記録再生情報取得ステップＳ２７０２は、第二再生位置情報取得サブステップＳ２７０３を有する。当該ステップＳ２７０３において、録画再生装置は、コンテンツ記録再生部のコンテンツ全体中再生位置を示す情報である残容量情報を取得する。また、第二制御ステップＳ２７０４は、第二再生位置表示制御サブステップＳ２７０５を有する。当該ステップＳ２７０５において、録画再生装置は、前記ステップＳ２７０３にて取得した再生位置情報に基づいて発光させる発光単位が再生位置を示すように制御をする。その余の処理の流れは、実施例４と同じであるので、説明を省略する。
【０１５４】
<効果>
本実施例の発明により、特に、記録媒体のコンテンツ全体のうちの再生位置を絶対的な尺度として表示することで、ユーザが視覚的に容易に確認することが可能な録画再生装置を提供することが可能となる。
【図面の簡単な説明】
【０１５５】
【図１】実施例１の録画再生装置の前面パネル部分の外観の一例を示す図
【図２】実施例１の録画再生装置の機能ブロックの一例を示す図
【図３】発光単位の具体的な表示の一例を示す図
【図４】発光単位の具体的な表示の一例を示す図
【図５】発光単位の具体的な表示の一例を示す図
【図６】実施例１の録画再生装置のハードウェア構成の一例を示す概略図
【図７】発光ルールテーブルの一例を示す図
【図８】実施例１の録画再生装置における処理の流れの一例を示す図
【図９】実施例２の録画再生装置の機能ブロックの一例を示す図
【図１０】発光単位の具体的な表示の一例を示す図
【図１１】実施例２の録画再生装置のハードウェア構成の一例を示す概略図
【図１２】実施例２の録画再生装置における処理の流れの一例を示す図
【図１３】実施例３の録画再生装置の機能ブロックの一例を示す図
【図１４】発光単位の具体的な表示の一例を示す図
【図１５】実施例３の録画再生装置における処理の流れの一例を示す図
【図１６】実施例４の録画再生装置の機能ブロックの一例を示す図
【図１７】発光単位の具体的な表示の一例を示す図
【図１８】実施例４の録画再生装置のハードウェア構成の一例を示す概略図
【図１９】発光ルールテーブルの一例を示す図
【図２０】実施例４の録画再生装置における処理の流れの一例を示す図
【図２１】実施例５の録画再生装置の機能ブロックの一例を示す図
【図２２】実施例５の録画再生装置ハードウェア構成の一例を示す概略図
【図２３】実施例５の録画再生装置における処理の流れの一例を示す図
【図２４】実施例６の録画再生装置の機能ブロックの一例を示す図
【図２５】発光ルールテーブルの一例を示す図
【図２６】発光単位の具体的な表示の一例を示す図
【図２７】実施例６の録画再生装置における処理の流れの一例を示す図
【符号の説明】
【０１５６】
０１００      録画再生装置
０１１１      ＬＥＤ発光体
０１１２      ＬＥＤ発光体
０１１３      ＬＥＤ発光体
０１１４      ＬＥＤ発光体
０１１５      ＬＥＤ発光体
０１１６      ＬＥＤ発光体
０２００      録画再生装置
０２１０      コンテンツ記録再生部
０２２０      表示部
０２３０      発光信号出力部
０２４０      記録再生情報取得部
０２５０      第一制御部
１６００      録画再生装置
１６１０      コンテンツ記録再生部
１６２０      表示部
１６３０      発光信号出力部
１６４０      記録再生情報取得部
１６６０      第二制御部
【図１】
2009080881.tif 000003
【図２】
2009080881.tif 000004
【図３】
2009080881.tif 000005
【図４】
2009080881.tif 000006
【図５】
2009080881.tif 000007
【図６】
2009080881.tif 000008
【図７】
2009080881.tif 000009
【図８】
2009080881.tif 000010
【図９】
2009080881.tif 000011
【図１０】
2009080881.tif 000012
【図１１】
2009080881.tif 000013
【図１２】
2009080881.tif 000014
【図１３】
2009080881.tif 000015
【図１４】
2009080881.tif 000016
【図１５】
2009080881.tif 000017
【図１６】
2009080881.tif 000018
【図１７】
2009080881.tif 000019
【図１８】
2009080881.tif 000020
【図１９】
2009080881.tif 000021
【図２０】
2009080881.tif 000022
【図２１】
2009080881.tif 000023
【図２２】
2009080881.tif 000024
【図２３】
2009080881.tif 000025
【図２４】
2009080881.tif 000026
【図２５】
2009080881.tif 000027
【図２６】
2009080881.tif 000028
【図２７】
2009080881.tif 000029